(57)【要約】【課題】単純な、安価な、単回使用のみの医薬ポンプシステムを提供すること。【解決手段】液体成分の持続送達のための、液圧作動式流体送達システム。このシステムは、ポンプチャンバ；オリフィスを有しかつ可動障壁によって該ポンプチャンバに流体接続されている流体貯蔵チャンバ；拘束部を介して該ポンプチャンバに接続されており、該拘束部は、該高粘度の流体の流量を制御し得る、高粘度の流体を貯蔵するための液圧流体レザバ；ならびに該液圧流体レザバに機能的に接続されたアクチュエータであって、該アクチュエータは、該液圧流体を、該拘束部を通して該ポンプチャンバに流入させ、これによって、該ポンプチャンバの体積を拡張させ、該可動障壁を移動させ、そして該流体貯蔵チャンバ内に貯蔵された、ある量の該液体成分を、持続された速度で送達させる、アクチュエータ、を備える、流体送達システム。【選択図】図２
2020011102.tif 000002
【特許請求の範囲】
【請求項１】
明細書または図面に記載の発明。
【発明の詳細な説明】
【技術分野】
【０００１】
（発明の背景）
本明細書中に記載されるシステムおよび方法は、注射可能物質のための医薬ポンプにおいて使用され得る、液圧式ポンプシステムに関し、特に、低費用の小型の単回使用のポンプシステムに関する。
【背景技術】
【０００２】
様々な人々（例えば、糖尿病患者）は、特定の薬物または医薬（本明細書中で広く、医薬と称される）の、連続的な注入またはほぼ連続的な注入を必要とする。
【０００３】
ポンプシステムを使用する、医薬（例えば、インスリン）の連続的な投薬またはほぼ連続的な投薬を提供するための、多くの試みがなされてきた。例えば、１つの公知のポンプ送り技術は、種々の手段によって発生する気体を使用して、注射器内のプランジャを進め、これによって、注入セットを通して医薬を注射する。この注入セットは、患者の皮膚を通して医薬を運ぶための手段であり、そして標準的な針、微小針、微小針アレイ、ならびにカテーテルおよびカニューレのシステムを備え得る。
【０００４】
これらのシステムは、非常に良好に働き得るが、これらのシステムを、特に連続投与モードで使用する患者は、周囲の空気圧が大いに変動し得る環境の下で（例えば、航空機内で）、これらのデバイスを、厳密にモニタリングし、そして作動を止める必要がある。特に、患者は、注入ポンプが、高い高度の航空機内（ここでは、周囲の圧力がかなり低下している）で、危険なまでに増加した投薬量を送達しないように注意する必要がある。
【発明の概要】
【発明が解決しようとする課題】
【０００５】
単純な、安価な、単回使用のみの医薬ポンプシステムが、必要とされている。このようなシステムは、患者の制御下での変更可能な投薬、ならびに任意の範囲の周囲圧力または手術条件においての、測定された用量の安全性および一貫性を提供する能力を有さなければならない。
【課題を解決するための手段】
【０００６】
（要旨）
例示的な実施形態において、本明細書中に記載されるシステムは、とりわけ、ポンプデバイスを備え、このポンプデバイスは、単回使用であり得、そして持続された低体積（好ましくは、高効力）の医薬適用（例えば、インスリン依存性糖尿病患者または他の患者によって使用されるためのもの）を提供する。このポンプは、アクチュエータとして、ばねで圧縮されたベローズクランク、ヒンジで止められたプレート、対のローラセット、または他の蠕動機構を使用して、ある体積の液圧流体を、流れ拘束部（例えば、開口部分）に強制的に通し得、これによって、２チャンバ型液圧シリンダの１つのチャンバを拡張させる。第二の流体貯蔵チャンバ（医薬を含む）は、この液圧チャンバが、さらなる液圧流体の導入によって拡張されるにつれて、従来のオリフィスを介して排出される。次いで、このように排出される医薬は、任意の適切な注射機構および／または注入機構を介して、患者に注射または注入され得る。
【０００７】
拘束部は、１つの実施形態において、液圧流体開口部分であり得、そして直径約０．１〜１０μｍ、または直径約１〜５μｍ、または直径１万分の１インチ（０．０００１インチ、すなわち約２．５μｍ）の、一定の微小開口部分であり得る。別の実施形態において、この液圧流体開口部分は、直径約０．１〜１０μｍ、または直径約１〜５μｍ、または直径１万分の１インチ（０．０００１インチ、すなわち約２．５μｍ）の、連続的または段階的のいずれかの直径の変動を提供する、調節可能な開口部分であり得る。適切な粘度の液圧流体と組み合わせて、この微小開口部分は、正確な圧力調節を提供し、これは、周囲の圧力にも他の環境条件にも非感受性である。この非感受性は、次に、当該分野において以前に見られたよりも広い範囲の条件下での、非常に正確な投薬および投薬量調節を可能にする。
【０００８】
従って、本発明の１つの局面は、液体成分の持続送達のための、液圧作動式流体送達システムを提供する。このシステムは、ポンプチャンバおよび流体貯蔵チャンバ；液圧流体レザバ；ならびにアクチュエータを備え、この流体貯蔵チャンバは、オリフィスを有し、そして可動障壁によって、このポンプチャンバに機能的に接続されており、この液圧流体レザバは、高圧流体を貯蔵するためのものであり、そして拘束部（例えば、開口部分）を介して、このポンプチャンバに接続されており、この拘束部は、直径が１０μｍ未満であり得、そしてこの液圧流体中の最も大きい不溶性粒子は、存在する場合、必要に応じて、この開口部分のサイズを超えず、そしてこのアクチュエータは、この液圧流体レザバに機能的に接続されており、この液圧流体を、この開口部分を通してこのポンプチャンバに流入させ、これによって、このポンプチャンバの体積を拡張させ、この可動障壁を移動させ、そしてこの流体貯蔵チャンバに貯蔵された、ある量の液体成分を、持続された速度で送達する。
【０００９】
１つの実施形態において、上記ポンプチャンバと流体貯蔵チャンバとの両方は、１つの区画内にある。
【００１０】
１つの実施形態において、上記可動障壁は、ピストンまたはプランジャプレートである。
【００１１】
１つの実施形態において、上記ピストンまたはプランジャプレートの移動は、このピストンまたはプランジャプレートが、移動の際に、反転もせず、漏出も生じさせないように導かれる。
【００１２】
１つの実施形態において、上記可動障壁は、上記ポンプと上記流体貯蔵チャンバとを分離する、１つ以上の変形可能な膜である。
【００１３】
１つの実施形態において、上記液体成分は、医薬であり、そして上記流体貯蔵チャンバの壁は、成体不活性材料から構成される。
【００１４】
１つの実施形態において、上記開口部分は、一定のサイズを有する。
【００１５】
１つの実施形態において、上記開口部分は、可変の液圧を可能にするように、サイズが調節可能である。
【００１６】
１つの実施形態において、上記開口部分のサイズは、サムホイール制御／ダイヤルによって調節される。
【００１７】
１つの実施形態において、上記サムホイール制御は、小型の弁またはアイリスデバイスを作動させる。
【００１８】
１つの実施形態において、上記液体成分の量は、１分間あたり約１００ｎｌ〜１μｌ、１分間あたり約１〜１０μｌ、１分間あたり約１０〜１００μｌから選択される速度で排出される。
【００１９】
１つの実施形態において、上記アクチュエータは、小型のベローズクランク、対のローラ、１つ以上の圧電素子、つめ車モータ駆動式ユニットもしくはステッパモータ駆動式ユニット、２プレートのヒンジで留められた蠕動機構、電気駆動式機構または圧電機構である。
【００２０】
１つの実施形態において、上記アクチュエータは、動きの全範囲にわたって一定のばね定数を有する、１つ以上の外部ばねを使用する。
【００２１】
１つの実施形態において、上記流体送達システムは、液圧流体レザバを、上記開口部分を介して上記ポンプチャンバに連結する、接続通路をさらに備える。
【００２２】
１つの実施形態において、上記液体成分は、医薬の溶液である。
【００２３】
１つの実施形態において、上記医薬は、インスリン、オピエート、ホルモン、向精神治療組成物である。
【００２４】
１つの実施形態において、上記流体貯蔵チャンバの上記オリフィスは、液体成分を患者に送達するための注入セットに接続されている。
【００２５】
１つの実施形態において、上記患者は、ヒトまたは非ヒト動物から選択される哺乳動物患者である。
【００２６】
１つの実施形態において、上記注入セットは、針、管腔および針セット、カテーテル−カニューレセット、または微小針もしくは１つ以上の管腔によって取り付けられた微小針アレイである。
【００２７】
１つの実施形態において、上記ポンプは、単回使用のための安価な材料で製造されている。
【００２８】
１つの実施形態において、上記安価な材料は、ラテックスを含まず、そしてラテックスに耐えられない患者において使用するために適切である。
【００２９】
１つの実施形態において、上記安価な材料は、使い捨てであるかまたは再利用可能である。
【００３０】
１つの実施形態において、上記安価な材料は、ガラスまたは医療等級のＰＶＣである。
【００３１】
１つの実施形態において、上記流体送達システムは、第二の液圧レザバをさらに備える。
【００３２】
１つの実施形態において、上記第二の液圧レザバは、第二のアクチュエータによって、別個にかつ独立して制御される。
【００３３】
１つの実施形態において、上記第二の液圧レザバと上記もとのレザバとの両方が、共通の接続通路を介して、そして上記開口部分を通して、上記ポンプチャンバに接続されている。
【００３４】
１つの実施形態において、上記第二の液圧レザバは、第二の開口部分を通して、上記ポ
ンプチャンバに接続されている。
【００３５】
１つの実施形態において、上記２つの液圧レザバのうちの一方は、上記液体成分の持続送達のために使用され、そして該２つの液圧レザバのうちの他方は、所定の間隔での、上記液体成分のボーラス送達のために使用される。
【００３６】
１つの実施形態において、両方の開口部分が、独立して調節可能である。
【００３７】
１つの実施形態において、上記２つの開口部分のうちの１つが、調節可能である。
【００３８】
１つの実施形態において、上記持続送達は、５時間を超えるか、２４時間を超えるか、３日間を超えるか、または１週間を超える期間にわたる。
【００３９】
１つの実施形態において、上記液圧流体の粘度は、少なくとも約ＩＳＯ  ＶＧ  ２０、または少なくとも約ＩＳＯ  ＶＧ  ３２、または少なくとも約ＩＳＯ  ＶＧ  ５０、または少なくとも約ＩＳＯ  ＶＧ  １５０、または少なくとも約ＩＳＯ  ＶＧ  ４５０、または少なくとも約ＩＳＯ  ＶＧ  １０００、または少なくとも約ＩＳＯ  ＶＧ  １５００以上である。
【００４０】
本発明の別の局面は、液圧作動式ポンプシステムを提供し、このシステムは：可動障壁に機能的に接続されている、ポンプチャンバ；高粘度流体を貯蔵するための液圧流体レザバ；およびアクチュエータを備え、このレザバは、直径１０μｍ未満、そしていくつかの実施形態においては、直径３μｍ未満の開口部分を介して、このポンプチャンバに接続されており、そしてこの液圧流体内の最も大きい不溶性粒子は、存在する場合、この開口部分のサイズを超す、そしてこのアクチュエータは、この液圧流体レザバに機能的に接続され、この液圧流体を、この開口部を通してこのポンプチャンバに流入させ、これによって、このポンプチャンバの体積を拡張させ、この可動障壁を移動させる。
【００４１】
本発明の別の局面は、医薬を投与する方法を提供し、この方法は、液圧流体レザバを圧縮して、この液圧流体を、接続手段に強制的に通す工程；この液圧流体を、調節可能な開口部分を通して、ポンプチャンバに通す工程であって、このポンプチャンバは、隣接する流体貯蔵チャンバから、可動障壁によって分離されており、そしてこの流体貯蔵チャンバは、医薬で満たされている、工程；このポンプチャンバをこの液圧流体で満たすことによって、可動障壁を、この流体貯蔵チャンバ内に移動させる工程であって、この移動が、ある量の医薬を、この流体貯蔵チャンバから、吐出オリフィスを通して排出する、工程、を包含する。
【００４２】
１つの実施形態において、上記通す工程は、上記調節可能な開口部分によって調節されて、上記液圧流体の流れを変化させ、従って、上記オリフィスを通って排出される上記医薬の量を変化させる。
【００４３】
１つの実施形態において、上記方法は、ある量の上記医薬を、上記オリフィスに接続された注入セットを通して患者に注射する工程をさらに包含する。
【００４４】
１つの実施形態において、上記圧縮する工程は、一定の速度での上記レザバの蠕動圧縮を使用する。
【００４５】
１つの実施形態において、上記圧縮する工程は、可変速度での上記レザバの蠕動圧縮を使用する。
【００４６】
１つの実施形態において、上記方法は、ポンプチャンバに流体接続された第二の液圧レザバを迅速に圧縮して、上記可動障壁を移動させ、これによって、上記医薬のボーラスを、上記オリフィスを通して排出させる工程をさらに包含する。
【００４７】
１つの実施形態において、上記方法は、液圧流体を、上記第二の液圧レザバから、第二の開口部分を通して、上記ポンプチャンバへと通す工程をさらに包含する。
【００４８】
上に記載される個々の実施形態は、互いに自由に組み合わせられることを意味し、従って、任意の特定の組み合わせが、明白である場合には必ず、異なる実施形態において記載される２つ以上の特徴を同時に含み得ることが、理解されるべきである。さらに、本発明の１つの局面（例えば、デバイス）について記載される全ての実施形態が、明白である場合には必ず、本発明の他の局面（例えば、方法）に適用される。
【００４９】
本発明は、添付の図面を参照することによって、よりよく理解され得、そして多数の特徴および利点が、当業者に明らかにされる。
【００５０】
異なる図における同じ参照記号の使用は、類似かまたは同一の物品を示す。
【図面の簡単な説明】
【００５１】
【図１】図１は、本発明の１つの実施形態による、液圧式ポンプシステムの高レベルな機能的概略図である。
【図２】図２は、本発明の１つの実施形態による、液圧式ポンプシステムを備える流体送達システムの高レベルな機能的概略図である。
【図３】図３は、液圧式ポンプシステムを備える流体送達システムの利点の１つを図示する概略図である。
【図４】図４は、種々の障壁を備えるいくつかの流体送達システムの高レベルな機能的概略図である。
【図５】図５は、本発明の１つの実施形態による、代替の流体送達システムの高レベルな機能的概略図である。この実施形態における、代替の流体送達システムは、経皮パッチ上のアレイになった微小針を特徴とする。
【図６】図６は、本発明の１つの実施形態による、液圧式ポンプシステムを使用する流体送達システムと供に使用され得る、いくつかのアクチュエータ機構の高レベルな機能的概略図である。
【図７】図７は、開口部分の開口サイズに対する調節可能な制御の、高レベルな機能的概略図である。
【図８】図８は、本発明の１つの実施形態に従う、複数のアクチュエータを有するいくつかの流体送達システムの高レベルな機能的概略図である。
【発明を実施するための形態】
【００５２】
（発明の詳細な説明）
本明細書中に、薬物送達システム、その使用およびその製造方法が記載される。１つの実施形態において、本明細書中に記載されるシステムは、医薬、薬剤、流体、または他の何らかの材料を、患者に、代表的には皮膚を通して送達するための、ポンプデバイスを提供する。この目的で、このシステムは、粘性の流体のためのレザバを作動させるアクチュエータを備える。このアクチュエータは、この粘性の流体に、医薬に圧力を付与させて、この医薬を送達する。この粘性の流体は、拘束器によって制御され、この拘束器は、１つの実施において、このレザバへの圧力の不均一な付与が媒介されるように、そして流体の動きの制御された速度が達成されるように、この流体の流れの速度を制御する。この流体の動きの制御された速度は、医薬が、選択された速度で送達されるように、使用される。
【００５３】
１つの実施形態において、本明細書中に記載されるシステムおよび方法は、液圧式ポンプシステムを備え、このポンプシステムは、高粘性の流体で満たされ得るチャンバ（「ポンプチャンバ」）を備え得、この粘性の流体は、圧力によって力を加えられると、拘束器（例えば、開口部／開口部分）を通ってこのポンプチャンバに入る。この拘束器は、この拘束器を通る流体の流れの速度を制御するように、寸法が適合される。１つの実施形態において、この開口部分は、約１〜１００μｍの直径の大きさの円である（が、必ずしも形状が円形である必要はない）。しかし、当業者は、任意の適切な拘束器が使用され得ること、ならびにこの拘束器のサイズおよび形状は、予測された条件下（温度および周囲の圧力が挙げられる）で媒介される、流体の所望の流量を達成するために、変化され得ることを、理解する。
【００５４】
このポンプチャンバの内部の作業流体の体積の増加は、障壁機構の動きを誘発する。この障壁機構は、他のデバイス（例えば、第二の流体貯蔵チャンバ）に連結され得る。
【００５５】
本発明の液圧式ポンプシステムの１つの利点は、高粘性の作業流体が通って流れる拘束器にある。例えば、この拘束器が開口部分である場合、変化する圧力に供されると、この作業流体は、この開口部分を通って、ゆっくりとではあるが比較的一定の速度でこのチャンバに入り、これによって、この圧力を発生させる力の潜在的に大きな変動をほとんど排除し、一方で、このチャンバ内の作業流体の体積の、実質的にほとんど変動しない膨張を確実にする。このことは、次に、連結された障壁機構の、比較的平滑かつ一定な動きをもたらす。
【００５６】
この液圧式ポンプシステムのさらなる利点は、一定の圧力供給源に対するその比較的低い要件、またはこの圧力供給源によって発生する力の比較的大きい変動を許容する高い能力である。このことは、単純かつ安価なデバイス（例えば、医学的使用のための、単回使用の使い捨てデバイス）の製造において、特に有用である。
【００５７】
この液圧式ポンプシステムにおいて使用される、過剰な圧力に部分的に起因して、さらなる利点は、この液圧式ポンプが、環境（例えば、周囲の温度、標高、または外圧）の変化に対して、比較的非感受性であることである。
【００５８】
本明細書中に記載される液圧流体システムの例示的な実施形態が、図１の高レベルな機能的な図において示されている。ポンプチャンバ１１０は、シリンダのような形状であり得るが、これに限定されない。斜線付きの線は、可動障壁１３０を表し、これは、（必ずしもそうではないが）開口部分１５２の遠位端にあり得る。液圧流体１１２は、必要に応じて接続通路１１６を通って、ポンプチャンバ壁１５０の開口部分１５２から、ポンプチャンバ１１０内へと入る。
【００５９】
本明細書中で使用される場合、用語「超純粋」とは、作業流体中の最も大きい不溶性不純物粒子が、開口部分のサイズ（これは、例えば、直径約２〜３μｍであり得るが、より小さくてもより大きくてもよく、そして調節可能であり得る）より小さい流体を包含するが、これに限定されない。拘束器が開口部分である実施形態において、この開口部分は、必ずしも形状が円形である必要はなく、そして楕円形、正方形、矩形、三角形、多角形、または不規則な形状であり得る。拘束器が管、弁、ふるい、または他の機構もしくは機構の組み合わせである実施形態において、この拘束器のサイズおよび形状は、目的の条件における、選択された流体の流体流れを試験することによって、実験的に決定され得る。１つの具体的な実施形態において、最も大きい不純物粒子は、直径１ｍｍ以下であるか、または直径５００ｎｍ以下であるか、または直径１００ｎｍ以下である。さらに、不溶性不純物粒子の総量は、体積が０．１％未満、０．０１％未満、または０．００１％未満である。
【００６０】
粘度とは、通常、特定の温度における流体の標準的な量が、標準的なオリフィスを通って流れるために必要とされる時間の観点で表現される。この値が高いほど、その流体はより粘性である。粘度は、温度と共に可逆的に変動するので、その値は、その値が決定される温度を伴わない限り、さほど意味がない。本明細書中で使用される場合、「高粘度」とは、作業流体が、少なくとも約ＩＳＯ  ＶＧ  ２０、または少なくとも約ＩＳＯ  ＶＧ  ３２、または少なくとも約ＩＳＯ  ＶＧ  ５０、または少なくとも約ＩＳＯ  ＶＧ  １５０、または少なくとも約ＩＳＯ  ＶＧ  ４５０、または少なくとも約ＩＳＯ  ＶＧ  １０００、または少なくとも約ＩＳＯ  ＶＧ  １５００の粘度等級を有することを意味する。ｗｗｗ．ｓｕｐｅｒｉｏｒｌｕｂｒｉｃａｎｔｓ．ｃｏｍ／ｃｌａｓｓｔａｂｌｅ．ｈｔｍｌ．を参照のこと。
【００６１】
この液圧式ポンプシステムは、安価に製造され得る流体送達システムにおいて使用され得、そしてこの液圧式ポンプシステムに関連する、ゆっくりであるが比較的一定な送達速度を利用し得る。このゆっくりとした送達速度に部分的に起因して、この流体送達システムは、長い時間にわたって（例えば、６時間、１２時間、１日、３日、５日、１０日、１ヶ月など）、流体を連続的に送達するために使用され得る。この流体送達システムは、送達されるべき流体を貯蔵するための別個のチャンバ（「流体貯蔵チャンバ」、または短縮して「流体チャンバ」）に連結された、液圧式ポンプを備える。少量の流体（理想的には、液圧式ポンプチャンバに入る作業流体の量に等しいか、または少なくともこの量に比例する）が、障壁の動きに応答して、１つ以上の開口部分を通って、この流体チャンバから排出されるように、この液圧式ポンプにおける障壁機構の動きを、この流体チャンバに結びつける、種々の機構が存在し得る。
【００６２】
流体送達システムの１つの実施形態が、図２において、高レベルな概略図において示されている（以下の詳細な説明を参照のこと）。この型の流体送達システム／デバイスは、広範な適用（生物医学研究（例えば、細胞内へのマイクロインジェクション、核または細胞小器官の移植、単一の細胞またはハイブリドーマの単離などが挙げられるが、これらに限定されない）、および臨床的用途（医薬の投与など）のために使用され得る。
【００６３】
例えば、低レベルまたは可変用量の医薬を、長期間（例えば、数時間または数日でさえ）にわたって提供するために、この流体送達システムは、現在市場で入手可能であるか、または将来おそらく入手可能になる、標準的な注入セットのいずれかを通して適用されるべき医薬のための、単回使用のディスペンサの一部分を形成し得る。この流体送達システム（いくつかの実施形態においては、低費用のプラスチック部品から形成される）は、２つのチャンバを備える液圧式シリンダを備え得る。これらのチャンバのうちの１つは、上記ポンプチャンバとして機能し、そして他方は、医薬を貯蔵するための流体チャンバとして機能する。これらの実施形態において、この液圧式シリンダは、ほとんどの従来の液圧式シリンダと同様に構成され得、そして壁（特に、少なくとも、送達されるべき液体医薬を貯蔵するためのチャンバの内壁）は、生物不活性かつ安価な材料から構成され得る。
【００６４】
以下の説明は、原理の説明のためのみであり、そしていかなる局面においても、限定として解釈されるべきではない。種々の例示的な代替の実施形態が、以下にさらに記載される。
【００６５】
図２に記載されるような、液圧式シリンダ１００は、２つのチャンバ１１０および１２０からなる。チャンバ１１０（ポンプチャンバに対応する）は、液圧レザバ１１４からの液圧作業流体１１２によって満たされる。充填は、接続通路１１６（例えば、液圧レザバ１１４と液圧式シリンダ１００とを、可撓性かまたは剛性かのいずれかで接続する、管または管腔（であるが、これらに限定されない））によって、達成される。液圧流体１１２
が、アクチュエータ１３５（例示的な実施形態において、蠕動圧縮プレート１３５Ａおよび１３５Ｂ、ならびにヒンジ１３５Ｃからなる）によって、レザバ１１４から強制的に出されるにつれて、チャンバ１１０は、液圧流体で満たされ、その体積を拡張させ、これによって、ピストン要素１３０（障壁機構）を、チャンバ１２０（流体チャンバに対応する）内に押し込む。図２における、アクチュエータおよびピストンにおける点線は、プレートヒンジ作動機構の後の時点での位置、および障壁／ピストンの後の時点での位置を表す。
【００６６】
図３は、流体送達システムの１つの利点（例えば、過剰な圧力を発生させる力の比較的大きな変動を許容して、障壁ピストンが移動する時間または距離にわたって比較的一定な流体送達速度を生じる能力）を図示する、概略図である。この液圧式ポンプシステムなしでは、流体チャンバ内の流体を押し出すための力のあらゆる直接的な使用は、制御することが困難であり、そしてこの流体の送達速度の大きい変動に供されることが、明らかである（図３Ａ）。対照的に、この液圧式ポンプを用いると、その送達速度は、よりずっと一定になる（図３Ｂ）。
【００６７】
チャンバ１１０および１２０は、別個の物理的チャンバであり得るが、必ずしもそうである必要はない。なぜなら、両方のチャンバが、図２におけるような液圧式シリンダ（液圧式シリンダ１００）の境界内に存在し得るからである。これらのチャンバは、可動障壁（例えば、図２におけるピストン要素１３０）によって、分離される。ここで、ピストン１３０は、流体密障壁であり得、液圧流体１１２が、第二の医薬流体貯蔵チャンバ１２０に入ることを防止する。しかし、本発明は、液圧式シリンダ１００の型、あるいはシリンダ１００、チャンバ１１０、またはチャンバ１２０の輪郭、寸法または内側表面の仕上げにおいて、限定されない。さらに、本発明は、ピストン要素１３０の特定の構成に限定されない。以下の記載は、本発明の流体送達システムにおいて使用され得る、多くの可能な代替の実施形態のうちのいくつかを説明する。
【００６８】
１つの実施形態において、図４Ａに示されるように、図２におけるピストン要素１３０は、ポンプチャンバ１１０と流体チャンバ１２０とを分離する、可撓性膜１３２によって置き換えられる。この可撓性膜は、開口部分１５２を通ってポンプチャンバ１１０に入る作業流体の体積の増加に起因して、ポンプチャンバ１１０からの増加した圧力に応答して、拡張し得る。これは、次に、流体を、オリフィス１４０を通して流体チャンバ１２０から排出する。
【００６９】
別の実施形態において、図４Ｂに示されるように、チャンバ１１０および１２０は、各々、それぞれ別個の壁ユニット１３４および１３６（例えば、可撓性材料から作製された、拡張可能なバッグ）を有する。シリンダ１００の制限された境界内にあるという利点によって、チャンバ１１０の体積の拡張は、必然的に、チャンバ１２０の体積の減少をもたらし、オリフィス１４０を通してチャンバ１２０から液体を排出するための力を発生させる。
【００７０】
なお別の実施形態において、図４Ｃに示されるように、ポンプチャンバ１１０および流体チャンバ１２０は、互いから分離され得るが、障壁機構１３８によって、機械的に連結される。この障壁機構は、ポンプチャンバ１１０の動きを、流体チャンバ１２０の動きに伝達する。連結機構１３８は、ポンプチャンバ１１０における初期の動きの大きさを、強化または減少させるかのいずれかであり得、その結果、流体チャンバ１２０の対応する動きが、それぞれ、増加または減少して、流体チャンバ１２０からの医薬流体の、より大きい量またはより小さい量の排出を生じる。例えば、連結機構１３８は、図４Ｃに示されるような、シャフトによって連結された、２つのピストンであり得る。１つの実施形態において、流体チャンバ１２０は、ポンプチャンバ１１０から取り外され得、その結果、新た
な流体チャンバ（１２０’、図示せず）が、再度取り付けられ得る。
【００７１】
上記のように、チャンバ１２０は、最初に、ある量の送達されるべき液体成分（例えば、医薬）で満たされるべきである。医薬の場合、その量は、代表的に、予め決定された期間にわたって、必要な投薬量を提供する目的で、医学専門家によって決定される。この流体チャンバの体積は、約１００μｌ、５００μｌ、１ｍｌ、３ｍｌ、５ｍｌ、１０ｍｌ、３０ｍｌ、５０ｍｌ、１００ｍｌ、またはそれより大きくあり得る。
【００７２】
図２に図示される液圧式シリンダ１００は、チャンバ１２０の遠位端（ここで、遠位とは、チャンバ１２０の、ピストン１３０から離れた端部を意味する）において、オリフィス１４０を通して注入セット１６０にさらに接続され得る。換言すれば、液圧式シリンダ１００の吐出オリフィス１４０は、液圧システムにおいて通常予測されるように、このシリンダの、液圧流体投入開口部分１５２とは反対側の端部にある。しかし、これは、好ましい設計のほんの１つである。吐出オリフィス１４０は、所望であれば、チャンバ１２０の部分で、シリンダ１００の壁に位置し得る（以下の図５を参照のこと）。
【００７３】
いくつかの実施形態において、医学の分野において従来から公知であり、そして使用されている、任意の注入手段から選択される、注入デバイスまたは「セット」１６０が、オリフィス１４０に取り付けられる。注入デバイスの例としては、針（例えば、図１に示されるようなもの）；管腔および針のセット；カテーテル−カニューレセット；微小針または１つ以上の管腔によって取り付けられた微小針アレイが挙げられる。当業者は、医薬を身体内に運ぶための多くのデバイスが存在することを、容易に理解する。従って、本発明は、一緒に使用される注入デバイスまたは注射デバイスの型において、限定されない。
【００７４】
例示的な実施形態において、図５において高レベルな概略図としてここで示されるように、この流体送達システムは、患者の送達領域（例えば、皮膚２００）に、接着手段（例えば、経皮パッチ）によって、固定される。流体チャンバ１２０は、微小針または微小針のアレイ１８０（例えば、米国特許第６，５０３，２３１号（本明細書中に参考として援用される）に記載されるもの）に接続される。図５に示されるものとは異なり、この微小針は、必ずしも、皮膚層２００に完全に入る必要はない。低い輪郭を達成するために、ポンプチャンバ１１０と流体チャンバ１２０との両方は、形状が（シリンダのような形状ではなく）平坦であり得、そして外側表面は、取り付けられる皮膚層２００の輪郭に沿い得る。これらの流体チャンバおよび微小針を接続するオリフィス（図示せず）は、好ましくは、流体チャンバ１２０の側壁で開口する。あるいは、接続通路が、流体チャンバ１２０上のオリフィスを、微小針または微小針アレイに連結し得る。障壁１３０および開口部分１５２は、上で記載されたとおりである。アクチュエータの１つの実施形態がまた示されており、ここで、ばね機構によって作動されるプレート１３５が、液圧流体レザバ１１４を絞って、液圧作業流体をポンプチャンバ１１０内に注入する。他のアクチュエータ（例えば、本明細書の他の部分に記載されるもの）が、この実施形態における使用のために、適合され得る。
【００７５】
図２に例示されるように、作動の際に、流体（例えば、医薬）は、液圧流体レザバ１１４を、アクチュエータ１３５で制御された様式で圧縮することによって、投与される。図２は、例示的な蠕動機構アクチュエータ１３５を示す。しかし、このアクチュエータは、レザバに力を付与する多数の絞りデバイスのいずれか（例えば、レザバ１１４上の小型ベローズクランクまたは対のローラベアリング（以下の図６を参照のこと））から代替的に選択され得る。さらに、他の実施形態において、このレザバは、膨張する気体の体積、熱エネルギー、または流体に送達されるべき医薬に対して直接的にかもしくは間接的に圧力を付与させ得る、他の任意のデバイスもしくはプロセスによって、作動され得る。
【００７６】
図２に示される実施形態において、プレート１３５Ａおよび１３５Ｂは、ヒンジ１３５Ｃによって取り付けられており、そしてばね、または他の実施形態においては、１つ以上の圧電素子によって、一緒に力を加えられ、その結果、可撓性（例えば、エラストマー性）液圧流体レザバ１１４が、これらの間で絞られる。エラストマー性レザバを絞ることによって、このレザバの内容物が、このレザバに存在するあらゆる開口部分を通って、押し出される。いくつかの実施形態において、開口部分１５２は、以下にさらに記載されるように、連結管１１６および調節可能な開口部分１５０によって提供される。
【００７７】
アクチュエータ１３５はまた、他の形態を採り得る。液圧レザバ１１４を押し付ける、液圧流体を移動させるプレートまたは他の構造体を圧縮する、つめ車またはステッパモータ駆動式ユニットが、本発明から逸脱することなく使用され得る。さらに、２プレートのヒンジで留められた蠕動機構（例えば、図２において参照記号１３５によって表されるもの）については、これらのプレートの内部または外部に設置されたばね（図示せず）が、これらのプレートを一緒に押すために使用され得る。電気駆動式機構または圧電気機構（例えば、先行技術において記載されたもの）もまた、使用され得る。
【００７８】
１つの実施形態において、図６Ａに示されるように、動きの全範囲にわたって一定のばね定数を有する、１つ以上の外部ばね１３５Ｄが、使用される（単純にする目的で、単一ばねの構成が記載されるが、複数のばねが、力を調節するために、使用され得る）。このばねは、プレート１３５Ａおよび１３５Ｂの、ヒンジ１３５Ｃから離れた部分を接続するように、そしてこれらのプレートを一緒に（内向きに）引くように配置され、これによって、レザバ１１４に押し付ける。従って、このシステムが、使用のために最初に準備されると、このばねは、プレート１３５Ａおよび１３５Ｂを強制的に離すことによって、拡張される（すなわち、張力をかけられる）。次いで、これらのプレートは、これらが液圧レザバ１１４を圧縮しないように、取り外し可能な支柱または他のデバイス（図示せず）で、適所に保持される。一旦、ポンプが適所で注入手段１６０（図２を参照のこと、しかし、個々には示されない）を通して、患者に医薬を注入するように接続されると、この支柱は、取り外され得る。次いで、アクチュエータ１３５のプレート１３５Ａおよび１３５Ｂに与えられる一定なばね張力が、これらのプレートをゆっくりと合わせ、そして液圧流体１１２を、蠕動様の作用で、レザバ１１４から絞り出す。
【００７９】
別の実施形態において、図６Ｂに図示されるように、圧縮されたばねまたはばねのセット２６０が、導かれた経路を通してピストン要素２５０を押し、液圧流体レザバ１１４を圧縮するために、使用され得る。このレザバの、ピストン要素２５０に対して遠位の端部に、開口部分１５２があり、この開口部分は、液圧流体１１２が、隣接するポンプチャンバ１１０に入ることを可能にし、その結果、障壁１３０が、それに従って動き得る。より単純化されたバージョンにおいては、ばね機構２５０および２６０は、伝統的な注射器（図６Ｃ）においてとちょうど同じように、親指の力３００によって置き換えられ得る。図６Ｂと６Ｃとの両方において、ポンプチャンバ１１０から流体レザバ１１４を分離する、接続通路は存在しない。
【００８０】
調節可能な開口部分は、ポンプチャンバ１１０内の液圧および流量の調節を提供する。この調節は、開口部分１５２（図２において）が、極端に小さい距離（例えば、１万分の１インチ（０．０００１インチ、すなわち約２．５μｍ）以下の直径）まで調節されることを可能にすることによって、実施され得る。
【００８１】
１つの実施形態において、開口部分１５２は、一定のサイズを有する。この開口部分は、形状が丸／円形である必要はない。例えば、この開口部分は、およそ正方形、三角形、楕円系、不規則な形状、または多角形であり得る。どの形状であっても、この開口部の面積は、所望の流量を達成するようなサイズにされる。一例において、この開口部は、直径が約１万分の１インチ（すなわち、２〜３μｍ）であり得る。用途に依存して、この開口部のサイズは、任意のものであり得、２００ｎｍ〜５００ｎｍの間、または５００ｎｍ〜１０００ｎｍの間、または１〜２μｍの間、または５〜１０μｍの間の開口部分が挙げられる。他のサイズおよび寸法が、選択され得、そして選択されるサイズおよび寸法は、手近な用途に依存する。
【００８２】
他の実施形態において、図７に示されるように、開口部分１５２は、（例えば、限定ではなく）当該分野において現在公知である、従来のアイリス機構（図７を参照のこと）、小型弁、または対のゲートスリットであり得る。例えば、調節可能な開口部分１５２は、単純なサムホイール１５０によって調節され得る。このサムホイールは、上記の従来の小型弁またはアイリスデバイスを作動させる。代替の実施形態において、電気モータまたは圧電気デバイスが、この開口部分を開閉させるために使用され得、これによって、液圧流体１１２がチャンバ１１０内に流れ、そして障壁１３０を移動させる速度に影響を与える。
【００８３】
この開口部分が調節可能であるか否かにかかわらず、液圧流体の流量は、異なる要件に合うように制御され得る。特定の実施形態において、流体チャンバ内の流体の量は、１分間あたり約１００ｎｌ〜１μｌ、１分間あたり約１〜１０μｌ、または１分間あたり約１０〜１００μｌから選択される速度で、排出される。他の実施形態において、この流量は、１時間あたり０．００１μｌ〜１時間あたり１００ｍｌになるように、媒介および制御される。選択される速度は、手近な用途に依存し、そして当業者は、所定の用途に対して、適切な投与速度を決定し得る。
【００８４】
開口部分１５２の１つの特徴は、調節可能であろうとなかろうと、液圧流体１１２が非常に遅い速度（１分間あたり数ｍｌまたは数十ｍｌ程度の低い速度であるが、これらに限定されない）でチャンバ１１０に入るように、極端に小さく作製され得ることである。適切な粘度（以下でさらに議論される）の液圧流体とともに使用される場合、開口部分１５２の構成は、正確な圧力調節を可能にし、この圧力調節は、周囲の圧力または他の環境条件に対して、非感受性である。この非感受性は、次に、当該分野において以前に見られたよりも広い範囲の条件下での、非常に正確な投薬および用量調節を可能にする。
【００８５】
液圧流体１１２は、いくつかの実施形態において、超純粋な、高粘度の、生物不活性材料である。粘度は、アクチュエータによって発生される力の量によって、その上限が制限される。特定の実施形態において、このアクチュエータによって発生する力は、１０ポンド、５ポンド、３ポンド、２ポンド、１ポンド、０．５ポンド、０．１ポンド、０．００１ポンド、またはそれ未満である。その下限において、この流体は、その流れが、アクチュエータの圧力および開口部分の直径の組み合わせによって、全ての環境条件において（特に、低い大気圧の圧力および／または高い周囲温度（粘性が低下する傾向がある場合）において）、非常に調節されたたままであり得るように十分に粘性でなければならない。単純な試験を実施して、開口部分のサイズおよびこの流体レザバに付与される押す力を一定にし、そしてこのレザバ中に残っている液圧流体の量（および従って、出た量）を、ある期間の後に決定することによって、この液圧流体の平均流量を、大まかに決定し得る。液圧流体が失われる連続的な期間（例えば、連続的な５分間の期間などでの流体の損失）を測定して、液圧流体がそのレザバから失われる速度が、使用される条件下で、経時的に一定であるか否かを決定し得る。
【００８６】
本明細書に開示されるシステムとともに使用するために適切な医薬としては、インスリン、オピエートおよび／または他の待機薬、ホルモン、向精神治療組成物、または連続的な低体積での投与が、患者の処置において使用するために望ましいかもしくは有効である、他の任意の薬物もしくは化学物質が挙げられる。「患者」は、ヒトまたは非ヒト動物であり得ることにもまた、注目のこと；連続投与ポンプの使用は、ヒト医薬のみに制限されず、獣医の医薬に対して等しく適用され得る。
【００８７】
このシステムの代替の実施形態において、２つ以上の液圧レザバおよびアクチュエータが提供される（図８）。図８Ａに示される例示的な実施形態において、第一のレザバ４００およびアクチュエータ２３５は、図２における物品１１４および１３５と同じであるか、または類似である。第二のレザバ５００およびアクチュエータ２３５（これは、図２に示されるものと同じ蠕動アクチュエータ１３５、または任意の他の従来の代替物（例えば、上記のもの）を使用し得る）は、別の制御を提供される。換言すれば、第二のアクチュエータは、第一のアクチュエータとは無関係に制御され得る。両方の流体レザバは、それぞれ、開口部分１５４および１５６を通して、ポンプチャンバの壁１５０に接続される。この接続は、必要に応じて、接続通路１１６へと通り得る。このような構成は、特殊な不連続な用量の医薬が必要であり得る状況において、有用である。例えば、インスリン依存性糖尿病は、しばしば、その日の間に連続的に供給されるインスリンに加えて、このインスリンと一緒に、食事の直後に、インスリンのさらなる増幅用量またはボーラスを受けることが必要であることを見出し得る。従って、第二のアクチュエータは、このボーラスを送達するために、第一のアクチュエータ制御機構とは無関係に作動され得る。
【００８８】
図８Ｂに示される代替の実施形態において、レザバ４００と５００との両方からの液圧流体１１２は、一緒に、共通の管腔１１６、およびそれゆえ、調節可能な開口部分１５２を通過し得る（図８Ｂ）。あるいは、上記のように、これらの２つのレザバは、別個の管腔、ならびに別個に調節可能な開口部分１５４および１５６によって、液圧チャンバ１１０内に導かれ得る（図８Ａ）。この後者の構成において、いずれかのレザバによって影響を受ける投薬速度は、それぞれの調節可能な開口部分を通して、独立して制御され得る。
【００８９】
さらなる代替において、これらのレザバのうちの１つは、固定された開口部分に導かれ得、一方で、他方は、調節可能な開口部分に導かれ得る。この実施形態において、上記インスリン依存性糖尿病のような場合において有用なことに、固定された開口部分に接続された液圧レザバは、不連続な間隔で、ボーラス投薬を提供するように作動され得、一方で、調節可能な開口部分に接続された液圧レザバは、連続的なゆっくりとした投薬を提供するために使用され得る。
【００９０】
（流体送達システムを使用する例示的な実施形態）
１つの例示的な実施形態において、医薬を投与する方法が提供され、この方法は、液圧流体レザバを圧縮して、この液圧流体を、接続手段に強制的に通す工程；この液圧流体を、調節可能な開口部分を通して第一のポンプチャンバ内へと通す工程であって、このポンプチャンバは、調節可能な流体貯蔵チャンバから、例えば、可動障壁によって分離されており、そしてこの流体貯蔵チャンバは、医薬で満たされている、工程；このポンプチャンバをこの液圧流体で満たすことによって、この可動障壁を、この流体貯蔵チャンバ内へと移動させる工程であって、この移動によって、ある量のこの医薬が、この流体貯蔵チャンバから、オリフィスを通って排出される工程を、包含する。
【００９１】
この通過させる工程は、この液圧流体の流れ、および従って、このオリフィスを通って排出される医薬の量を変化させる、この調節可能な開口部分によって、調節され得る。さらに、この方法は、ある量のこの医薬を、このオリフィスに接続された注入セットを通して、患者内に注射する工程を、さらに包含し得る。
【００９２】
いくつかの実施形態において、圧縮する工程は、一定の速度でのこのレザバの蠕動圧縮を使用し得る。あるいは、この圧縮する工程は、可変の速度での、このレザバの蠕動圧縮を使用し得る。
【００９３】
なお別の代替の実施形態において、この方法は、このポンプチャンバに流体接続された第二の液圧レザバを迅速に圧縮して、この可動障壁を移動させ、これによって、この医薬のボーラスを、このオリフィスを通して排出する工程を、さらに包含し得る。この実施形態は、この液圧流体を、この第二の液圧レザバから、第二の開口部分を通して、このポンプチャンバ内へと通す工程を、さらに包含し得る。
【００９４】
（代替の実施形態）
本発明の方法の工程が実施される順序は、本質的に、単なる例示であり、そして必ずしも、これらが記載される正確な順序で実施される必要は、ないかもしれない。実際に、これらの工程は、本開示によって認容不可能であると他に示されない限り、任意の適切な順序で、または並行して、実施され得る。
【００９５】
液圧式ポンプシステムおよびその流体送達システムにおける使用の、いくつかの例示的な実施形態が、図示され、そして記載されたが、変化および改変が、本発明から逸脱することなくなされ得ること、ならびに従って、添付の特許請求の範囲は、本発明の真の精神に入るものとして、その範囲に、このような変化および改変のすべてを包含するべきであることが、当業者に明らかである。
【産業上の利用可能性】
【００９６】
本発明は、例えば、以下を提供する：
（項１）
液体成分の持続送達のための、液圧作動式流体送達システムであって、以下：
ポンプチャンバおよび流体貯蔵チャンバであって、該流体貯蔵チャンバは、オリフィスを有し、そして可動障壁によって、該ポンプチャンバに流体接続されている、ポンプチャンバおよび流体貯蔵チャンバ；
高粘度の流体を貯蔵するための、液圧流体レザバであって、該レザバは、拘束部を介して該ポンプチャンバに接続されており、該拘束部は、該高粘度の流体の流量を制御し得る、液圧流体レザバ；ならびに
該液圧流体レザバに機能的に接続されたアクチュエータであって、該アクチュエータは、該液圧流体を、該拘束部を通して該ポンプチャンバに流入させ、これによって、該ポンプチャンバの体積を拡張させ、該可動障壁を移動させ、そして該流体貯蔵チャンバ内に貯蔵された、ある量の該液体成分を、持続された速度で送達させる、アクチュエータ、
を備える、流体送達システム。
（項２）
前記ポンプチャンバと前記流体貯蔵チャンバとの両方が、１つの区画内にある、項１に記載の流体送達システム。
（項３）
前記可動障壁が、ピストンまたはプランジャプレートである、項２に記載の流体送達システム。
（項４）
前記ピストンまたはプランジャプレートの動きが、該ピストンまたはプランジャプレートが、移動の際に、反転もせず、漏出も生じさせないように導かれる、項３に記載の流体送達システム。
（項５）
前記可動障壁が、前記ポンプチャンバと流体貯蔵チャンバとを分離している、１つ以上の変形可能な膜である、項２に記載の流体送達システム。
（項６）
前記液体成分が、医薬であり、そして前記流体貯蔵チャンバの壁が、生物不活性材料から構成されている、項１に記載の流体送達システム。
（項７）
前記拘束部が、選択されたサイズの開口部分を備える、項１に記載の流体送達システム。
（項８）
前記拘束部が、可変の液圧を可能にするように、サイズを調節可能である、項１に記載の流体送達システム。
（項９）
前記開口部分のサイズが、制御ダイヤルによって調節される、項７に記載の流体送達システム。
（項１０）
前記制御が、小型の弁またはアイリスデバイスを作動させる、項９に記載の流体送達システム。
（項１１）
前記液体成分の量が、１分間あたり約１００ｎｌ〜１μｌ、１分間あたり約１〜１０μｌ、１分間あたり約１０〜１００μｌ、１時間あたり約１００μｌ〜１００ｍｌから選択される速度で排出される、項１に記載の流体送達システム。
（項１２）
前記アクチュエータが、小型のベローズクランク、対のローラ、１つ以上の圧電素子、つめ車モータ駆動式ユニットもしくはステッパモータ駆動式ユニット、２プレートのヒンジで留められた蠕動機構、電気駆動式機構または圧電機構を備える、項１に記載の流体送達システム。
（項１３）
前記アクチュエータが、１つ以上の外部ばねを使用する、項１に記載の流体送達システム。
（項１４）
前記液圧流体レザバを、前記開口部分を介して前記ポンプチャンバに連結する、接続通路をさらに備える、項１に記載の流体送達システム。
（項１５）
前記液体成分が、医薬の溶液である、項１に記載の流体送達システム。
（項１６）
前記医薬が、インスリン、オピエート、ホルモン、向精神治療組成物である、項１５に記載の流体送達システム。
（項１７）
前記流体貯蔵チャンバの前記オリフィスが、前記液体成分を患者に送達するための注入セットに接続されている、項１に記載の流体送達システム。
（項１８）
前記患者が、ヒトまたは非ヒト動物から選択される哺乳動物患者である、項１に記載の流体送達システム。
（項１９）
前記注入セットが、針、管腔および針セット、カテーテル−カニューレセット、または微小針もしくは１つ以上の管腔によって取り付けられた微小針アレイである、項１に記載の流体送達システム。
（項２０）
前記ポンプが、単回使用のための安価な材料で製造されている、項１に記載の流体送達システム。
（項２１）
前記安価な材料が、ラテックスを含まず、そしてラテックスに耐えられない患者において使用するために適切である、項２０に記載の流体送達システム。
（項２２）
前記安価な材料が、使い捨てであるかまたは再利用可能である、項２０に記載の流体送達システム。
（項２３）
前記安価な材料が、ガラスまたは医療等級のＰＶＣである、項２０に記載の流体送達システム。
（項２４）
第二の液圧レザバをさらに備える、項１に記載の流体送達システム。
（項２５）
前記第二の液圧レザバが、第二のアクチュエータによって、別個にかつ独立して制御される、項２４に記載の流体送達システム。
（項２６）
前記第二の液圧レザバと前記もとのレザバとの両方が、共通の接続通路を介して、そして前記開口部分を通して、前記ポンプチャンバに接続されている、項２５に記載の流体送達システム。
（項２７）
前記第二の液圧レザバが、第二の開口部分を通して、前記ポンプチャンバに接続されている、項２５に記載の流体送達システム。
（項２８）
前記２つの液圧レザバのうちの一方が、前記液体成分の持続送達のために使用され、そして該２つの液圧レザバのうちの他方が、所定の間隔での、前記液体成分のボーラス送達のために使用される、項２７に記載の流体送達システム。
（項２９）
両方の開口部分が、独立して調節可能である、項２５に記載の流体送達システム。
（項３０）
前記２つの開口部分のうちの１つが、調節可能である、項２５に記載の流体送達システム。
（項３１）
前記持続送達が、５時間を超えるか、２４時間を超えるか、３日間を超えるか、または１週間を超える期間にわたる、項１に記載の流体送達システム。
（項３２）
前記液圧流体の粘度が、約ＩＳＯ  ＶＧ  ２０以上である、項１に記載の流体送達システム。
（項３３）
液圧作動式ポンプシステムであって、以下：
（１）可動障壁に機能的に接続されている、ポンプチャンバ；
（２）高粘度流体を貯蔵するための液圧流体レザバであって、該レザバは、直径３μｍ未満の開口部分を介して、該ポンプチャンバに接続されており、そして該液圧流体内の最も大きい不溶性粒子は、存在する場合、該開口部分のサイズを超えない、液圧流体レザバ；および
（３）該液圧流体レザバに機能的に接続されたアクチュエータであって、該アクチュエータは、該液圧流体を、該開口部を通して該ポンプチャンバに流入させ、これによって、該ポンプチャンバの体積を拡張させ、該可動障壁を移動させる、アクチュエータ、
を備える、液圧作動式ポンプシステム。
（項３４）
医薬を投与する方法であって、以下：
（１）液圧流体レザバを圧縮して、該液圧流体を、接続手段に強制的に通す工程；
（２）該液圧流体を、調節可能な開口部分を通して、ポンプチャンバに通す工程であって、該ポンプチャンバは、隣接する流体貯蔵チャンバから、可動障壁によって分離されており、そして該流体貯蔵チャンバは、医薬で満たされている、工程；
（３）該ポンプチャンバを該液圧流体で満たすことによって、該可動障壁を、該流体貯蔵チャンバ内に移動させる工程であって、該移動が、ある量の該医薬を、該流体貯蔵チャンバから、吐出オリフィスを通して排出する、工程、
を包含する、方法。
（項３５）
前記通す工程が、前記調節可能な開口部分によって調節されて、前記液圧流体の流れを変化させ、従って、前記オリフィスを通って排出される前記医薬の量を変化させる、項３４に記載の方法。
（項３６）
ある量の前記医薬を、前記オリフィスに接続された注入セットを通して患者に注射する工程をさらに包含する、項３４に記載の方法。
（項３７）
前記圧縮する工程が、一定の速度での前記レザバの蠕動圧縮を使用する、項３４に記載の方法。
（項３８）
前記圧縮する工程が、可変速度での前記レザバの蠕動圧縮を使用する、項３４に記載の方法。
（項３９）
前記ポンプチャンバに流体接続された第二の液圧レザバを迅速に圧縮して、前記可動障壁を移動させ、これによって、前記医薬のボーラスを、前記オリフィスを通して排出させる工程をさらに包含する、項３４に記載の方法。
（項４０）
前記液圧流体を、前記第二の液圧レザバから、第二の開口部分を通して、前記ポンプチャンバへと通す工程をさらに包含する、項３９に記載の方法。
【図１】
2020011102.tif 000003
【図２】
2020011102.tif 000004
【図３】
2020011102.tif 000005
【図４】
2020011102.tif 000006
【図５】
2020011102.tif 000007
【図６】
2020011102.tif 000008
【図７】
2020011102.tif 000009
【図８】
2020011102.tif 000010